(57)【要約】  【課題】 従来のコンクリート構造物用埋込み具は、ジョイナーでスリーブを一体に取り付けてコンクリートの必要なかぶりを得ているが、工程が増え、芯合わせも面倒で、抜け抵抗もあまり期待できない。  【解決手段】  本発明にかかるセラミック製インサートは、頭部１とスリーブ部２が同一の軸線Ｘ上で一体に成形される。頭部１には盲の雌ねじ部３が設けられ、スリーブ部２の案内孔４はその内端で雌ねじ部３に連通し外端の開口面５で外部に開放している。頭部１とスリーブ部２はそれぞれの外周面に、軸線Ｘ方向上での変径部６や７を備えている。頭部１の変径部６は、その外径Ｄ１が軸線Ｘ上でスリーブ部２側から頭部１の端面１ａ側へ向かい拡大する拡径部６ａを備え、スリーブ部２の変径部７は、その外径Ｄ2が軸線Ｘ上で頭部１側からスリーブ部２の開口面５側へ向かい縮小する縮径部７ａを備えている。【選択図】  図１
2008101441.tif 000002
【特許請求の範囲】
【請求項１】
頭部(1)とスリーブ部(2)が同一の軸線(X)上で一体に成形され、
該頭部(1)には盲の雌ねじ部(3)が設けられ、
該スリーブ部(2)の案内孔(4)は、その内端で該雌ねじ部(3)に連通し、外端の開口面(5)で外部に開放し、
該頭部(1)は外周面に該軸線(X)方向上での変径部(6)を備え、
該スリーブ部(2)は外周面に該軸線(X)方向上での変径部 (7)を備え、
該頭部(1)の該変径部(6)は、その外径(D1)が該軸線(X)上で該スリーブ部(2)側から該頭部(1)の端面(1a)側へ向かい拡大する拡径部(6a)を備え、
該スリーブ部(2)の該変径部(7)は、該軸線(X)上で該頭部(1)側から該スリーブ部(2)の該開口面(5)側へ向かい縮小する縮径部(7a)を備え
ていることを特徴とするセラミック製インサート。  
【請求項２】
該頭部(1)の境界部分(11)側での外径(d1)と該スリーブ部(2)の該境界部分(11)側での最大の外径(d2)とでは、該スリーブ部(2)の外径(d2)の方が大となっている請求項１に記載のセラミック製インサート。
【請求項３】
該拡径部(6a)は該端面(1a)に、外径(D3)が該拡径部(6a)側で大きく該端面(1a)側で小となるテーパー部(6b)を介して、続いている請求項１又は２に記載のセラミック製インサート。
【請求項４】
該縮径部(7a)は該開口面(5)側の端部で直筒部(7b)となっている請求項１、2又は3に記載のセラミック製インサート。
【請求項５】
該頭部(1)の該変径部(6)は波形断面(12)の段階構成となっている請求項１、２、3又は4に記載のセラミック製インサート。
【発明の詳細な説明】
【技術分野】
【０００１】
本発明は、コンクリート製品に埋設され、吊り足場や型枠止め等に使用されるセラミック製インサートに関する。
【背景技術】
【０００２】
本件発明のインサートの形状に関連して、意匠登録第１００６２４４号、その類似１から５号の公報に「コンクリート構造物用埋込み具」が公表されている。意匠であるため、形状に基づく作用効果の記載はないが、使用状態を示す参考図から、この埋め込み具に螺合したボルトに引き抜き力が加わった場合、この力は埋め込み具の外周面に形成された外向きの湾曲面からコンクリート体に伝えられ、抜け防止を果たすようになっているものと考えられる。
【特許文献１】意匠登録第１００６２４４号公報
【特許文献２】意匠登録第１００６２４４の類似１号公報
【特許文献３】意匠登録第１００６２４４の類似２号公報
【特許文献４】意匠登録第１００６２４４の類似３号公報
【特許文献５】意匠登録第１００６２４４の類似４号公報
【特許文献６】意匠登録第１００６２４４の類似５号公報
【発明の開示】
【発明が解決しようとする課題】
【０００３】
意匠登録第１００６２４４号及びその類似１号公報に開示されたコンクリート構造物用埋込み具は、軸長と幅の比率を変えたにすぎない。両者はそれぞれの使用状態を示す参考図を見て分かるとおり、十分なコンクリートのかぶりが必要な場合はコンクリート製品の内層部に埋設され、その雌ねじ部がボルトガイド用のスリーブを介してコンクリート製品の表面に開口した場合である。
【０００４】
これらの埋込み具の外径は、軸線上でボルト孔を閉塞する端板及びこの端板に続く面取り部が終わった場所から雌ねじ部の開口端へ連続して小さくなっている。そのため、埋込み具の抜け抵抗の大部分は連続して外径が小さくなっている湾曲面部に依存する。
【０００５】
また、同じく類似２および３号公報に開示されたコンクリート構造物用埋込み具は、ボルト孔を閉塞する端板がなく、雌ねじ部の開口端外周に面取り部が形成されている。軸線上で両端の面取り部の大径部間で、外径が連続して小さくなる湾曲面部が存在する。埋込み具の抜け抵抗の大部分はこの湾曲面部と、雌ねじ部の開口端外周の面取り部に依存する。
【０００６】
更に、類似４号公報に開示されたコンクリート構造物用埋込み具は、外径が、軸線上でボルト孔を閉塞する端板及びこの端板に続く面取り部が終わった場所から雌ねじ部の開口端へ連続して小さくなる湾曲面部が存在する。そのため、埋込み具の抜け抵抗の大部分はこの湾曲面部に依存する。
【０００７】
更に、類似５号公報に開示されたコンクリート構造物用埋込み具は、軸線方向上で雌ねじ部の開口端側と反対側に連続する２段の面取り部が形成されたもので、この開口端側に雌ねじ部の谷径より大きい内径の受け口が設けてあり、この受け口にスリーブの端部が嵌合するようになっている。該埋込み具の外径は２段目の面取り部が終わった場所から雌ねじ部の開口端へ連続して小さくなり、これにより湾曲面部が形成されている。そのため、埋込み具の抜け抵抗の大部分はこの湾曲面部に依存する。
【０００８】
これらの埋込み具でスリーブを用いる場合は、図１３に示すように、埋込み具３１にスリーブ３２を樹脂や接着剤等のジョイナー３３で一体化している。この一体化の際、埋込み具３１の軸線Ｘ１とスリーブ３２の軸線Ｘ２を同一直線上に位置させるのは、ジョイナー３３が介在するためかなり厄介で、少しでも傾いたものがコンクリート製品Ｐ中に埋設されるとボルトの挿入が不可能となる。このジョイナー３３が経時劣化してくると、スリーブ３２の案内孔３４に開口３５を通して入った水等がジョイナー３３を通してコンクリート製品中に滲入するおそれがある。もし滲入すると、鉄筋Ｔに対するコンクリートの正規のかぶり寸法Ｌが、実質上頭頂からジョイナー３３までの寸法Ｌ１となり、十分なかぶりの確保ができない。
【０００９】
また、埋込み具３１の雌ねじ部３６は軸線Ｘ１方向に貫通しており、頭頂面にシール３７を貼ってコンクリートの流入防止を図っている。このシール３７は取扱の不注意や打設コンクリートの衝撃で剥がれることがあり、もし剥がれると、コンクリートが埋込み具３１の雌ねじ部３６に流入し、使用不可能になる場合もある。
【００１０】
セラミック製品は硬度が高い反面、衝撃で欠けることがある。ことに隅角部分でその発生が多い。応力の集中を避けるため、できるだけ隅角部分を断面鈍角にすることが望まれる。このような構成は、成形の容易性にも繋がる。
本発明は、これらの課題を解決できるセラミック製インサートを提供することを目的とする。
【課題を解決するための手段】
【００１１】
本発明に係るセラミック製インサートは、頭部とスリーブ部が同一の軸線上で一体に成形されている。該頭部には盲の雌ねじ部が設けられ、該スリーブ部の案内孔は、その内端で該雌ねじ部に連通し、外端の開口面で外部に開放している。該頭部は外周面に該軸線方向上での変径部を備え、該スリーブ部は外周面に該軸線方向上での変径部を備えている。該頭部の該変径部は、その外径が該軸線上で該スリーブ部側から該頭部の端面側へ向かい拡大する拡径部を備えている。そして、該スリーブ部の該変径部は、該軸線上で該頭部側から該スリーブ部の該開口面側へ向かい縮小する縮径部を備えている。
【００１２】
該セラミック製インサートは、頭部とスリーブ部が同一の軸線上で一体に成形されているので、製造が簡単で、廉価となり、頭部とスリーブ部間にジョイナーがないので、スリーブの案内孔に入り込んだ水等が劣化したジョイナーを通ってコンクリート製品中に染み込むこともなく、所期の鉄筋の必要なかぶり寸法が確保できる。また、該頭部に設けられた雌ねじ部は盲なので貫通型の開口を塞ぐシールが剥がれてコンクリートが雌ねじ部を塞いでしまうことはなく、該スリーブ部の案内孔は、その内端で該雌ねじ部に連通し、外端の開口面で外部に開放しているので、コンクリート製品の外部からボルト等をこのスリーブ部の案内孔を通して雌ねじ部に円滑に螺合することができる。また、該頭部は外周面に該軸線方向上での変径部を備え、該スリーブ部は外周面に該軸線方向上での変径部を備えており、該頭部の該変径部は、その外径が該軸線上で該スリーブ部側から該頭部の端面側へ向かい拡大する拡径部を備え、該スリーブ部の該変径部は、該軸線上で該頭部側から該スリーブ部の該開口面側へ向かい縮小する縮径部を備えているので、コンクリート製品に埋設した状態で引き抜き抵抗を発揮し、抜け防止を果たせる。  
【００１３】
該頭部の境界部分側での外径と該スリーブ部の該境界部分側での最大の外径とでは、該スリーブ部の外径の方が大となっていてもよい。
こうすると、スリーブ部の該抵抗面部のテーパー角度を可及的に大きく取ることができ、大きな抵抗力を確保することができる。
【００１４】
該拡径部は該端面に、外径が該拡径部側で大きく該端面側で小となるテーパー部を介して、続いていてもよい。
こうすると、該頭部の端面外周部分に鋭角部分を現出させないので、成形が容易で、衝撃力で外周部分が欠けたりするのを防げる。
【００１５】
該縮径部は該開口面側の端部で直筒部となっていてもよい。
こうすると、該スリーブ部の境界部分での外径をあまり大にすることなくスリーブ部の該開口面側の肉厚を一定に保つことができる。
【００１６】
該頭部の該変径部は波形断面の段階構成となっていてもよい。
こうすると、該頭部での抜け抵抗が大になるので、全体の抜け抵抗を一層大にできる。
【発明の効果】
【００１７】
本発明によれば、頭部とスリーブ部が同一の軸線上で一体に成形されているので、製造が簡単で、廉価となり、頭部とスリーブ部間にジョイナーがないので、スリーブの案内孔に入り込んだ水等が劣化したジョイナーを通ってコンクリート製品中に染み込むこともなく、所期の鉄筋の必要なかぶり寸法が確保でき、該頭部に設けられた雌ねじ部は盲なので貫通型の開口を塞ぐシールが剥がれてコンクリートが雌ねじ部を塞いでしまうことはなく、該スリーブ部の案内孔は、その内端で該雌ねじ部に連通し、外端の開口面で外部に開放しているので、コンクリート製品の外部からボルト等をこのスリーブ部の案内孔を通して雌ねじ部に円滑に螺合することができ、該頭部は外周面に該軸線方向上での変径部を備え、該スリーブ部は外周面に該軸線方向上での変径部を備えており、該頭部の該変径部は、その外径が該軸線上で該スリーブ部側から該頭部の端面側へ向かい拡大する拡径部を備え、該スリーブ部の該変径部は、該軸線上で該頭部側から該スリーブ部の該開口面側へ向かい縮小する縮径部を備えているので、コンクリート製品に埋設した状態で引き抜き抵抗を発揮し、抜け防止を果たせる。
【００１８】
請求項２によれば、該頭部の境界部分側での外径と該スリーブ部の該境界部分側での最大の外径とでは、該スリーブ部の外径の方が大となっているので、スリーブ部の該抵抗面部のテーパー角度を可及的に大きく取ることができ、大きな抵抗力を確保することができる。
【００１９】
請求項３によれば、該拡径部は該端面に、外径が該拡径部側で大きく該端面側で小となるテーパー部を介して、続いているので、該頭部の端面外周部分に鋭角部分を現出させないで済み、成形が容易で、衝撃力で外周部分が欠けたりするのを防げる。
【００２０】
請求項４によれば、該縮径部は該開口面側の端部で直筒部となっているので、該スリーブ部の境界部分での外径をあまり大にすることなくスリーブ部の該開口面側の肉厚を一定に保つことができる。
【００２１】
請求項５によれば、該頭部の該変径部は波形断面の段階構成となっているので、該頭部での抜け抵抗が大になり、全体の抜け抵抗を一層大にできる。
【発明を実施するための最良の形態】
【００２２】
以下に本発明に係るセラミック製インサートの具体例を、図面を参照して、説明する。
図１から３は本発明に係るセラミック製インサートの第１の例を示してある。このインサートは頭部１とスリーブ部２が同一の軸線Ｘ上で一体に成形されたものである。この頭部１には一端でのみ開口する盲の雌ねじ部３が設けられ、スリーブ部２の案内孔４は、その内端でこの雌ねじ部３に連通し、外端の開口面５で外部に開放している。この頭部１は外周面に軸線Ｘ方向上での変径部６を備え、またスリーブ部２は外周面に軸線Ｘ方向上での変径部７を備えている。頭部１の変径部６は、その外径Ｄ１が軸線Ｘ上でスリーブ部２側から頭部１の端面１ａ側へ向かい拡大する拡径部６ａを備えている。そして、スリーブ部２の変径部７は、その外径Ｄ２が軸線Ｘ上で頭部１側からスリーブ部２の開口面５側へ向かい縮小する縮径部７ａを備えている。
【００２３】
このセラミック製インサートは、頭部１とスリーブ部２が同一の軸線Ｘ上で一体に成形されているので、製造が簡単で、廉価となり、頭部１とスリーブ部２間にジョイナーがないので、スリーブ２の案内孔４に入り込んだ水等が劣化したジョイナーを通ってコンクリート製品Ｐ中に染み込むこともなく、所期の鉄筋Ｔの必要なかぶり寸法Ｌが確保できる。また、頭部１に設けられた雌ねじ部３は盲なので貫通型の開口を塞ぐシールが剥がれてコンクリートが雌ねじ部を塞いでしまうことはなく、スリーブ部２の案内孔４は、その内端で雌ねじ部３に連通し、外端の開口面５で外部に開放しているので、コンクリート製品Ｐの外部からボルト等をこのスリーブ部２の案内孔４を通して雌ねじ部３に円滑に螺合することができ、
頭部１は外周面に軸線Ｘ方向上での変径部６を備え、またスリーブ部２は外周面に軸線Ｘ方向上での変径部７を備えており、頭部１の変径部６は、その外径Ｄ１が軸線Ｘ上でスリーブ部２側から頭部１の端面１ａ側へ向かい拡大する拡径部６ａを備え、スリーブ部２の変径部７は、その外径Ｄ２が軸線Ｘ上で頭部１側からスリーブ部２の開口面５側へ向かい縮小する縮径部７ａを備えているので、コンクリート製品Ｐに埋設した状態で引き抜き抵抗を発揮し、抜け防止を果たせる。
なお、２１は頭部１の外面に形成された回り止めである。
【００２４】
頭部１の境界部分１１側での外径ｄ１と，スリーブ部２のこの境界部分１１側での最大の外径ｄ２とでは、スリーブ部２の外径ｄ２の方が大となっている。
この場合、スリーブ部２の抵抗面部７のテーパー角度θを可及的に大きく取ることができ、大きな抵抗力を確保することができる。
【００２５】
拡径部６ａは端面１ａに、外径Ｄ３が拡径部６ａ側で大きく端面１ａ側で小となるテーパー部６ｂを介して、続いている。
この場合、頭部１の端面１ａの外周部分に鋭角部分を現出させないで済み、成形が容易で、衝撃力で外周部分が欠けたりするのを防げる。
【００２６】
スリーブ部２の開口面５側の端部は直筒部７ｂとなっている。
この場合、スリーブ部２の境界部分１１側での外径ｄ２をあまり大にすることなくスリーブ部２の開口面５側の肉厚を一定に保つことができる。
【００２７】
頭部１の変径部６は波形断面１２の段階構成となっている。
この場合、頭部１での抜け抵抗が大になり、全体の抜け抵抗を一層大にできる。
【図面の簡単な説明】
【００２８】
【図１】本発明にかかるセラミック製インサートの第１の具体例を示す正面図である。
【図２】同平面図である。
【図３】図１の３−３線断面図で、使用状態で示してある。
【図４】本発明にかかるセラミック製インサートの第２の具体例を示す正面図である。
【図５】同平面図である。
【図６】図５の６−６線断面図で、使用状態で示してある。
【図７】本発明にかかるセラミック製インサートの第３の具体例を示す正面図である。
【図８】図７の８−８線断面図で、使用状態で示してある。
【図９】本発明にかかるセラミック製インサートの第４の具体例を示す正面図である。
【図１０】同平面図である。
【図１１】図１０の１１−１１線断面図で、使用状態で示してある。
【図１２】本発明にかかるセラミック製インサートの第５の具体例を示す半分縦断正面図である。
【図１３】従来の頭部とスリーブをジョイナーで一体化したインサートの縦断面図である。
【符号の説明】
【００２９】
１    頭部
２    スリーブ部
Ｘ    軸線
３    雌ねじ部
４    案内孔
５    開口面
６    変径部
６ａ  拡径部
７    変径部
７ａ  縮径部
Ｄ１，Ｄ２   外径
ｄ１，ｄ２    外径
Ｄ３  外径
１１  境界部分
１２  波形断面
Ｐ    コンクリート製品
θ    テーパー角度
【図１】
2008101441.tif 000003
【図２】
2008101441.tif 000004
【図３】
2008101441.tif 000005
【図４】
2008101441.tif 000006
【図５】
2008101441.tif 000007
【図６】
2008101441.tif 000008
【図７】
2008101441.tif 000009
【図８】
2008101441.tif 000010
【図９】
2008101441.tif 000011
【図１０】
2008101441.tif 000012
【図１１】
2008101441.tif 000013
【図１２】
2008101441.tif 000014
【図１３】
2008101441.tif 000015